(57)【特許請求の範囲】
【請求項１】
半製品である一対のスキッドを、桁部で溶着することにより製造された合成樹脂製パレットにおいて、上方に位置するスキッドが、バージン樹脂材で成形されているとともに、下方に位置するスキッドが、リサイクル樹脂材で成形され、且つ、黒色に着色されていることを特徴とする合成樹脂製パレット。
【発明の詳細な説明】
【０００１】
【発明の属する技術分野】
本発明は、荷物の保管や運搬等に使用される合成樹脂製パレットに関するものである。
【０００２】
【従来の技術】
従来、合成樹脂で、同一形状に一体成形された半製品である一対のスキッドを、桁部で溶着することにより形成された合成樹脂製パレットにおいて、両方のスキッドを、廃棄される種々の合成樹脂製製品のリサイクル樹脂材を利用して製造し、このように、リサイクル樹脂材により製造された一対のスキッドを、桁部で溶着することにより形成された合成樹脂製パレットが知られている。
【０００３】
【発明が解決しようとする課題】
上述したリサイクル樹脂材により製造された合成樹脂製パレットは、種々の色に着色された廃棄される合成樹脂製製品から製造されるとともに、その色相を安定して製造するために、調合可能な濃い色相とせざるを得ないので、一般的には黒色とされている。従って、色に違いにより、積載する荷物や合成樹脂製パレットの納入先等の識別を行っていた従来の色による合成樹脂製パレットの識別ができないという問題があった。
【０００４】
また、リサイクル樹脂材は、樹脂メーカーで製造された、過去に一度も成形品として使用されていない樹脂材（以下、このような樹脂材を、バージン樹脂材という。）と異なり、成形された合成樹脂製パレットを紫外線から保護するための耐候安定剤の量が減少しており、従って、リサイクル樹脂材により製造された合成樹脂製パレットの耐候安定性能が落ちるという問題があった。
【０００５】
更に、リサイクル樹脂材は、バージン樹脂材に含有されていた帯電防止材等の添加剤も減少しており、従って、塵埃等が静電気により、付着しやすいという問題があった。
【０００６】
更にまた、リサイクル樹脂材で製造された合成樹脂製パレットは、再成形による熱履歴のために、その物性においては、硬化する傾向にあり、従って、合成樹脂製パレットの耐衝撃性能が低下するという問題があった。
【０００７】
勿論、上述したリサイクル樹脂材が有する欠点を補うために、耐候安定剤や帯電防止材等の添加剤を補充するということも考えられるが、このような添加剤の補充により、合成樹脂製パレットの製造コストがアップしてしまい、リサイクル樹脂材を利用するメリットが損なわれることになる。
【０００８】
本発明の目的は、上述した従来のリサイクル樹脂材を利用した合成樹脂製パレットが有する課題を解決することにある。
【０００９】
【課題を解決するための手段】
本発明は、上述した目的を達成するために、半製品である一対のスキッドを、桁部で溶着することにより製造された合成樹脂製パレットにおいて、上方に位置するスキッドを、バージン樹脂材で成形するとともに、下方に位置するスキッドを、リサイクル樹脂材で成形し、且つ、黒色に着色したものである。
【００１０】
【実施例】
以下に、本発明の実施例について説明するが、本発明の趣旨を越えない限り何ら、本実施例に限定されるものではない。
【００１１】
本発明の一例としての合成樹脂製パレットは、合成樹脂で一体成形された半製品である一対のスキッドＳ１、Ｓ２を、筒状の桁部で溶着することにより形成されており、平面形状が方形状のスキッドＳ１、Ｓ２は、それぞれ、四隅に形成された隅桁部１ａ’と、隅桁部１ａ’の中間に形成された中間桁部１ｂ’と、中央部に形成された中央桁部１ｃ’とを有している。そして、一対のスキッドＳ１、Ｓ２の隅桁部１ａ’の端面同士、中間桁部１ｂ’の端面同士及び中央桁部１ｃ’の端面同士を、それぞれ、互いに溶着することにより合成樹脂製パレットが形成される。
【００１２】
上述したようにして製造された合成樹脂製パレットは、上部デッキボードｐ１と下部デッキボードｐ２と、四隅に形成された隅桁部１ａ’からなる筒状の隅桁１ａと、隅桁１ａの中間に形成された中間桁部１ｂ’からなる筒状の中間桁１ｂと、中央桁部１ｃ’からなる筒状の中央桁（図示されていない。）とを有するとともに、隅桁１ａと中間桁１ｂとの間及び中間桁１ｂと中央桁（図示されていない。）との間には、フォークリフトのフォークが挿入可能なフォーク差し込み口ｐ３が形成されている。
【００１３】
本発明は、上述した合成樹脂製パレットを構成するスキッドＳ１、Ｓ２の一方のスキッドＳ１を、過去に一度も成形品として使用されていない樹脂材、所謂、バージン樹脂材を用いて成形するとともに、もう一方のスキッドＳ２を、リサイクル樹脂材で成形し、バージン樹脂材で成形されたスキッドＳ１と、リサイクル樹脂材で成形されたスキッドＳ２とを、上述したように、隅桁部１ａ’の端面同士、中間桁部１ｂ’の端面同士及び中央桁部１ｃ’の端面同士を、それぞれ、互いに溶着することにより合成樹脂製パレットが製造されることになる。
【００１４】
バージン樹脂材で成形されるスキッドＳ１は、必要に応じて、色素や顔料を添加することにより、所望の色に着色する。また、リサイクル樹脂材で成形されるスキッドＳ２は、着色済みの色になるか、或いは、常に同じ色に安定して製造するために黒色の色素や顔料を用いて、黒色に製造される。リサイクル樹脂材は、種々の色に着色された廃棄される合成樹脂製製品を使用するために、リサイクル樹脂材で成形されるスキッドＳ２は、成型機に供給されるリサイクル樹脂材のバッチ毎に、異なる色になってしまうので、常に安定した同じ色のスキッドＳ２を製造するためには、通常、黒色の色素や顔料を用いて、黒色に製造されることになる。
【００１５】
上述したように、バージン樹脂材で成形されるとともに、所望の色に着色されたスキッドＳ１と、リサイクル樹脂材で成形されたスキッドＳ２とを、桁部で溶着することにより合成樹脂製パレットが製造されるが、このようにして製造された合成樹脂製パレットは、リサイクル樹脂材で成形されたスキッドＳ２が下方に位置するようにして使用する。
【００１６】
上述したように、リサイクル樹脂材で成形されたスキッドＳ２が下方に位置するようにして使用することにより、紫外線から合成樹脂製パレットを保護するための耐候安定剤の量が減少しているリサイクル樹脂材により製造されたスキッドＳ２が、下方に位置するので、上方の位置するバージン樹脂材で成形されたスキッドＳ１に比べて、日光に当たる面積が小さいので、耐候安定剤の量が減少していても、劣化が少なく、従って、一対のスキッドＳ１、Ｓ２の両方を、バージン樹脂材で成形した合成樹脂製パレットに比べて、その寿命時間に遜色が無い。
【００１７】
また、帯電防止材が少なくなっているリサイクル樹脂材で成形されたスキッドＳ２が下方に位置するとともに、帯電防止材が多く含まれているバージン樹脂材で成形されたスキッドＳ１が、荷物が載置されるデッキ面を形成するように上方に位置するように構成することにより、静電気により、リサイクル樹脂材で成形されたスキッドＳ２に塵埃等が、より多く付着しても、荷物は、静電気の発生の少ないバージン樹脂材で成形されたスキッドＳ１に載置されるので、リサイクル樹脂材で成形されたスキッドＳ２に付着した塵埃等が、荷物に付着するようなことがない。
【００１８】
更に、再成形による熱履歴のために、耐衝撃性能が低下しているリサイクル樹脂材で成形されたスキッドＳ２が下方に位置するとともに、バージン樹脂材で成形されたスキッドＳ１を上方に位置するようにして使用することにより、荷物の載置作業の際の衝撃を受けるとともに、フォーク差し込み口ｐ３にフォークを差し込む際に、フォークの先端が当接しやすい合成樹脂製パレットの上部が、バージン樹脂材で成形されたスキッドＳ１により構成されているので、合成樹脂製パレットの耐衝撃性能は、全体をバージン樹脂材で成形された合成樹脂製パレットと大差がない。
【００１９】
更にまた、上方に位置するスキッドＳ１を、所望の色に着色可能なバージン樹脂材で成形したので、従来の全体をバージン樹脂材で成形された合成樹脂製パレットのように、積載する荷物や合成樹脂製パレットの納入先等の着色による識別を行うことが可能である。
【００２０】
上述したように、リサイクル樹脂材で成形されたスキッドＳ２が下方に位置するとともに、バージン樹脂材で成形されたスキッドＳ１が上方に位置するように構成することにより、全体がバージン樹脂材で成形された合成樹脂製パレットと比較して、遜色無い性能や機能を有するとともに、製造コストの低減化が実現できた合成樹脂製パレットを製造することができる。また、全体がリサイクル樹脂材で成形された合成樹脂製パレットに比べ、耐候安定性能や耐衝撃性能に優れており、また、塵埃等の付着も少ない。
【００２１】
【発明の効果】
本発明は、以上説明した構成を有しているので、以下に記載する効果を奏するものである。
【００２２】
一方のスキッドを、バージン樹脂材で成形するとともに、もう一方のスキッドを、リサイクル樹脂材で成形したので、全体がバージン樹脂材で成形された合成樹脂製パレットと比較して、遜色無い性能や機能を有するとともに、製造コストの低減化が実現できた合成樹脂製パレットを製造することができる。
【００２３】
上方に位置するスキッドを、バージン樹脂材で成形するとともに、下方に位置するスキッドを、リサイクル樹脂材で成形し、リサイクル樹脂材で成形されたスキッドが下方に位置するようにして使用することにより、紫外線から合成樹脂製パレットを保護するための耐候安定剤の量が減少しているリサイクル樹脂材により製造されたスキッドが下方に位置するので、上方の位置するバージン樹脂材で成形されたスキッドに比べて、日光に当たる面積が小さいので、耐候安定剤の量が減少していても、劣化が少なく、従って、一対のスキッドの両方を、バージン樹脂材で成形した合成樹脂製パレットに比べて、その寿命時間に遜色が無い。
【図面の簡単な説明】
【図１】図１は本発明の合成樹脂製パレットの分解斜視図である。
【図２】図２は本発明の合成樹脂製パレットの斜視図である。
【符号の説明】
Ｓ１、Ｓ２・・・・・・・・スキッド
１ａ’・・・・・・・・・・隅桁部
１ｂ’・・・・・・・・・・中間桁部
１ｃ’・・・・・・・・・・中央桁部
【図１】
0004366007.tif 000002
【図２】
0004366007.tif 000003